(57)【要約】      （修正有）【課題】吸収部材が長期間保管されても細菌増殖の危険を減らすことができ、使用及び保管が簡便な吸収部材保管装置を提供する。【解決手段】吸収部材保管装置は、吸収部材が保管される第１保管部１１０、上端に蓋部１４０が結合された円筒状で、流体が保管される第２保管部１２０、及び第１保管部の底面から突出した締結部１３０を備える。締結部は第１保管部の内部に形成され、第２保管部が嵌合される。吸収部材と流体がそれぞれ別に保管されている保管装置の開封によって、滅菌された脱脂綿、綿棒などの吸収部材をすぐ流体で濡らすことができるようになっているので、非常に衛生的で簡便な吸収部材の保管及び使用が可能である。【選択図】図１
0003226672.tif 000002
【実用新案登録請求の範囲】
【請求項１】
上端に蓋部が結合されている円筒形状であり、底面から突出した締結部を含み、吸収部材が保管される第１保管部、及び上下が開口した管から形成され、前記管の上端は前記第１保管部の前記蓋部に連結され、前記管の下端は前記締結部に嵌合されて前記第１保管部の内部で前記第１保管部と結合され、流体が保管される第２保管部を含み、
前記第２保管部が前記締結部によって前記第１保管部に結合されている途中、前記第１保管部の使用による開封によって前記締結部から分離されるとともに前記第２保管部内の流体が吸収部材に塗布されることを特徴とする、吸収部材保管装置。
【請求項２】
前記締結部と前記第２保管部は雄ネジと雌ネジが螺合されることを特徴とする、請求項１に記載の吸収部材保管装置。
【請求項３】
前記締結部は、前記第１保管部の底面中央から突出部が形成され、連結キャップによって前記突出部と前記第２保管部の下端が結合されることを特徴とする、請求項１に記載の吸収部材保管装置。
【請求項４】
前記第２保管部の上端が前記第１保管部を覆う蓋と一体的に連結されることを特徴とする、請求項１〜３のいずれか一項に記載の吸収部材保管装置。
【請求項５】
前記締結部の外周面に遮断部を多数備えることを特徴とする、請求項１〜３のいずれか一項に記載の吸収部材保管装置。
【請求項６】
前記第２保管部の上端を覆うオーバーキャップをさらに備えることを特徴とする、請求項１〜３のいずれか一項に記載の吸収部材保管装置。
【考案の詳細な説明】
【技術分野】
【０００１】
本考案は吸収部材保管装置に係り、より詳しくは木綿、綿棒、ガーゼ、スポンジのような吸水性衛生用品を衛生的に保管して使うことができる吸水性衛生用品保管装置に関する。
【背景技術】
【０００２】
タオル、木綿、綿棒のような吸収部材は主に水又は消毒液のような流体で濡らして使うことになる。例えば、綿棒又は木綿を使うときには、それ自体のみで使うよりは消毒液などで濡らして用いることになるものである。
【０００３】
このように、吸収部材と流体は使用時に共に必要な場合が多いので、吸収部材を流体で予め濡らして利用する方法が考えらえる。しかし、吸収部材が濡れた状態で利用すれば、完全に殺菌された吸収部材であっても使用時まで流体で濡らされている状態が持続して汚染及び細菌感染のおそれが大きい。
【０００４】
一方、吸収部材と流体が別途の保管装置に備えられれば、前記のような問題点は発生しないが、消毒液でガーゼなどを濡らして使用する場合のように吸収部材と流体をともに使うとき、吸収部材と流体をそれぞれ捜さなければならない不便さが発生する。また、別途の保管装置に備えられた吸収部材又は流体のいずれか一方が先に消尽される場合が多いため、残っている吸収部材又は流体の衛生的管理が難しく、個別的に備えるのに煩わしさが発生する。
【０００５】
韓国登録実用新案第０２７３０４０号公報は、吸収部材の一つである綿棒の保管ケースと液薬容器が結合された装置である。しかし、結合装置によってともに携帯されるものではあるが、既存の別個の容器に収容されるものと大きな違いがないため、コンパクトに保管できない。また、綿棒、木綿のような吸収部材は医療機関で皮膚、傷の粘膜などに使われる場合が多いので、滅菌状態の維持が重要である。韓国登録実用新案第０２７３０４０号公報は吸収部材が滅菌された製品である場合、使用時まで滅菌状態が維持されなければならない点を解決することができないという問題点があった。
【先行技術文献】
【特許文献】
【０００６】
【特許文献１】韓国登録実用新案第０２７３０４０号公報
【考案の概要】
【考案が解決しようとする課題】
【０００７】
本考案では吸収部材が長期間保管されても細菌増殖の危険を減らすことができ、使用及び保管が簡便な吸収部材保管装置を提供することを課題とする。
【０００８】
また、本考案は滅菌処理有無のようにその取扱い方法が違う、吸収部材又は流体に対する処理工程を別に進行した後、一つの吸収部材保管装置に結合できるようにすることにより、非常に衛生的でありながらも吸収部材保管装置の効率的な生産が可能である。
【０００９】
また、本考案では流体を吸収部材に手軽く吸収させた後、すぐ使うことができ、流体と吸収部材を別に保管しなければならない不便さを減らすことができる吸収部材保管装置を提供することも課題とする。
【００１０】
また、本考案では流体によって吸収部材が汚染する程度及び吸収部材によって流体が汚染される程度を最小化することができる、すなわち、両者が交差的に汚染されることを遮断することができる吸収部材保管装置を提供することも課題とする。
【００１１】
また、本考案では流体の量と吸収部材の量が同一に消尽されて非常に経済的で衛生的な吸収部材保管装置を提供することも課題である。
【課題を解決するための手段】
【００１２】
前記のような課題を達成するために、本考案による吸収部材保管装置は、「吸収部材が保管される第１保管部」「第１保管部の内部底面に備えられている締結部」「上下が開口した管から形成されて前記締結部に嵌合されることによって流体が保管される第２保管部」を含む。流体が保管される前記第２保管部は流体を漏水なしに保管している途中、使用時に第２保管部を締結部から離脱させて流体を第１保管部に流して吸収部材に塗布されることができるようにするための構造である。ここで、前記第２保管部は上下部が開口した管から形成されているので、下端が締結部に結合される場合に流体を収容することができる空間が備えられ、第２保管部が締結部から離脱すれば、また下部が開口した状態で流体が第１保管部の吸収部材に塗布される。
【００１３】
第１保管部の蓋部は第２保管部の上端孔は覆わないが、吸収部材が保管された第１保管部を覆うドーナツ形状に形成されることができる。また、第１保管部の蓋部と第２保管部は射出成形によって一体的に形成されることができる。
【００１４】
第２保管部の下端は締結部に螺合され、第１保管部の蓋部は第２保管部と連結されているので、第１保管部の蓋部を回転させる力又は上方に持ち上げる力によって締結部に結合された第２保管部の下端も同時に締結部から離脱する。
【００１５】
一実施例で、前記第１保管部の蓋部には第１保管部の内部をガス殺菌することができる孔をさらに備える。
【００１６】
一実施例で、前記第２保管部は上端が狭くなるかあるいは下端が狭くなる瓶状であってもよい。
【００１７】
一実施例で、前記吸収部材は、木綿、綿棒、タオル、ガーゼ、不織布、及びスポンジの少なくとも１種である。
【００１８】
一実施例で、前記流体は消毒液である。
【００１９】
一実施例で、前記第２保管部に流体を収容した後に密封することができるオーバーキャップをさらに備える。
【００２０】
一実施例で、前記締結部には第２保管部が持ち上げられた後、第１保管部に保管された吸収部材が中央に移動することができないようにする遮断部をさらに備える。
【００２１】
一実施例で、前記第１保管部の内部底面から上方に形成される区画部をさらに備える。
【考案の効果】
【００２２】
本考案による吸収部材保管装置は、従来の考案とは違い、吸収部材と流体が単一装置内に別に保管されている途中、保管装置を開けて流体で濡らして使おうとするときに初めて保管された流体が流れ出て吸収部材を濡らすので、衛生的な吸収部材の保管が可能である。
【００２３】
本考案は吸収部材と流体をそれぞれ別に備える必要がないので、使用及び保管が容易である。
【００２４】
また、吸収部材と液体をそれぞれその特徴及び基準によって別に滅菌処理してから結合することになるので、吸収部材保管装置の生産を非常に効率よくすることができる。
【図面の簡単な説明】
【００２５】
【図１】本考案の第１実施例による吸収部材保管装置を示す斜視図である。
【図２】本考案の第１実施例による吸収部材保管装置を示す斜視図である。
【図３】本考案の第１実施例による吸収部材保管装置を示す断面図である。
【図４】本考案の第１実施例による吸収部材保管装置を示す断面図である。
【図５】本考案の第１実施例による吸収部材保管装置を示す断面図である。
【図６】本考案の第２保管部が持ち上げられた後の状態を示す斜視図である。
【考案を実施するための形態】
【００２６】
以下、本考案の内容を図面に基づいてより詳細に説明する。この過程で、図面に示した線の厚さ、構成要素の大きさなどは説明の明瞭性及び便宜性のために誇張して示されることがあり得る。また、後述する用語は本考案での機能を考慮して定義された用語であり、これは使用者、運用者の意図又は慣例によって変わることができる。したがって、このような用語に対する定義はこの明細書全般にわたる内容に基づいて決められなければならないであろう。
【００２７】
本考案の第１側面による吸収部材保管装置は、図１に示したように、第１保管部１１０、第２保管部１２０及び締結部１３０を備える。
【００２８】
より詳細に言うと、吸収部材が保管される第１保管部１１０と前記第１保管部の内部に備えられる第２保管部１２０が備えられ、第１保管部１１０の底面中央に締結部１３０が環形の係合突起などに突設され、前記締結部１３０に第２保管部１２０が嵌合される。
【００２９】
図３及び図４に示したように、前記第２保管部１２０は上下が共に開いた形態の管を形成し、下端が締結部１３０に嵌合されて底面が生成されることにより、第２保管部１２０の上端の孔に流体が流入して保管されることができる。
【００３０】
このように形成された第２保管部１２０の内側に水又は消毒液のような流体が保管されることによって第１保管部への流体の流出が遮断され、第２保管部１２０は、図１に示したように、円筒状の形状であるか、流体を保存するための空間を形成する構成であり、このような形状は限定されなく、図３に示すように、前記第２保管部の上端が狭くなる瓶状又は下端が狭くなる瓶状などの形状であってもよい。
【００３１】
前記第２保管部１２０は第１保管部の蓋部１４０が第２保管部の上端孔と連結されることによって形成される。前記第２保管部１２０と第１保管部の蓋部１４０は射出成形によって一体的に形成されることができる。
【００３２】
前記第１保管部の蓋部１４０を開口する力によって、第１保管部の蓋部と一体的に連結された第２保管部１２０の上下端に回転力又は上方への外力が加わり、前記第２保管部１２０が締結部１３０から離脱しながら上方に移動することにより、保管された内容物が吸収部材に塗布される。
【００３３】
第１保管部１１０の底面１１１の中央に備えられる締結部１３０は、第２保管部１２０が外力によって上方に移動する場合の他には第２保管部１２０に保存された流体の漏水を遮断するように、第２保管部が締結部に隙間なしにきちんと嵌合されていなければならない。
【００３４】
前記締結部１３０は射出成形によって第１保管部１１０の底面と一体的に形成されることができる。
【００３５】
第２保管部１２０が締結部１３０に移動なしにより安定的に固定されている途中、使用者が使用時に回転力を加えることによって締結部１３０から離脱することができるように、第２保管部の下端と締結部１３０は螺合することができる。
【００３６】
また、図４に示したように、締結部１３０は、第１保管部１１０の底面１１１の中央に突出部が形成され、連結キャップ１３１によって底面１１１の突出部と第２保管部１２０の下端が同時に螺合することができる。
【００３７】
図６に示したように、前記締結部１３０の外周には遮断ピン１３５が一定間隔で形成されることにより、第２保管部が締結部１３０から離脱して持ち上げられた後、吸収部材が締結部の中央方向に移動することを遮断することができる。
【００３８】
本考案は図面に示した実施例を参照して説明したが、これは例示的なものに過ぎなく、当該技術分野で通常の知識を有する者であればこれから多様な変形及び均等な他の実施例が可能である点が理解可能であろう。
【００３９】
したがって、本考案の真正な技術的保護範囲は下記の実用新案登録請求範囲によって決定されなければならないであろう。
【００４０】
前述したように、本考案は滅菌消毒処理工程が互いに異なる吸収部材と流体を効率的に結合して保管することができるようにする装置であるので、本装置による吸収部材と流体の保管処理工程にしたがって説明する。
【００４１】
まず、第１保管部１１０に吸収部材が満たされ、第１保管部の蓋部１４０が一体的に形成された第２保管部１２０が締結部３００に結合されることにより、第１保管部の蓋が覆われるとともに第２保管部に流体を収容することができる空間が形成される。第２保管部に流体が収容された後、第２保管部のオーバーキャップ１５０が装着される。第２保管部１２０に一体的に形成された第１保管部の蓋部１４０には吸収部材の滅菌ガス消毒のためのガス孔１４５が形成され、吸収部材の滅菌が完了すれば、非常に簡単な工程によって吸収部材と流体がコンパクトに保管処理される。
【００４２】
このように滅菌処理された吸収部材と流体がそれぞれ密封されて保管されれば、使用時まで第１保管部と第２保管部に別に収容されている途中、使用者が第２保管部の上端１４０と一体に形成されている第１保管部の蓋部１４０に上方に力を加えるか回転力を加えることで、第１保管部の蓋部を開口するとともに第２保管部１２０を締結部１３０から離脱させて、第２保管部に保管されていた流体を吸収部材に手軽く塗布することができるものである。すなわち、使用者は使用開始と同時に別途の苦労なしに流体が吸収部材に自動で塗布されるようにして、すぐ流体で濡らされた吸収部材を使うことができるものである。
【産業上の利用可能性】
【００４３】
本吸収部材保管装置は吸収部材と流体をそれぞれその特徴及び基準によって別に滅菌処理してから結合することにより、吸収部材保管装置の生産が非常に効率よくなり、使用者も吸収部材及び流体を単一装置に保管している途中で、使用時に保管装置を開けるときに流体で濡らして使うことになるので、衛生的な吸収部材の保管及び使用が可能である。
【符号の説明】
【００４４】
１１０    第１保管部
１１１    第１保管部底面
１２０    第２保管部
１３０    締結部
１３１    連結キャップ
１３５    遮断ピン
１４０    第１保管部の蓋部
１４５    ガス孔
１５０    オーバーキャップ
【図１】
0003226672.tif 000003
【図２】
0003226672.tif 000004
【図３】
0003226672.tif 000005
【図４】
0003226672.tif 000006
【図５】
0003226672.tif 000007
【図６】
0003226672.tif 000008